(57)【要約】【課題】  自動車内で観光地のリアルタイムの画像や駐車場情報などを取得できるようにし、観光地で要する費用の精算を容易にする。【解決手段】  カーナビゲーション装置に表示された観光地一覧表から観光地を選択すると、その観光地のデジタルカメラからの動画データが表示される。観光客が行きたい観光地を選択し決定すると、カーナビゲーション装置は、ＧＰＳ機能で検知した位置と各観光地の位置データと道路渋滞情報とから、選択された各観光地を巡る経路を表示する。これに従って自動車が観光地に到着すると、料金精算手段がＥＴＣ装置から料金支払い用データを読み取って記憶し、駐車誘導手段が自動車を空き駐車スペースに案内する。観光が終了すると、各観光地の料金精算手段からのデータに基づいて、金融機関のコンピュータが、支払い用データの口座から費用の合計金額を引き落とす処理を行う。【選択図】図２
2005037246.tif 000002
【特許請求の範囲】
【請求項１】
カーナビゲーション装置と自動料金徴収用端末とを搭載している車両のための観光案内方法において、
前記カーナビゲーション装置に複数の観光地情報を表示する工程と、
表示された前記観光地情報のうちのいずれかが前記カーナビゲーション装置の操作によって選択された時に、ネットワークに接続されているサーバーが、前記選択された観光地に設けられている撮像手段から画像データを取得して、前記ネットワークを介して前記カーナビゲーション装置に表示させる工程と、
前記カーナビゲーション装置が、位置検知機構により前記車両の位置を求め、その位置から前記選択された観光地までの経路を調べるとともに無線通信によってその経路中の渋滞情報を取得して表示する工程と、
前記車両が前記選択された観光地に到着すると、該観光地に設けられている駐車誘導手段が、前記サーバーおよび前記ネットワークを介して、前記カーナビゲーション装置に空き駐車スペースを表示させる工程と、
該観光地に設けられている料金精算手段が、前記自動料金徴収用端末から前記車両の使用者の料金支払い用のデータを読み取って、該観光地で要する費用の請求のためのデータとして記憶する工程とを含むことを特徴とする観光案内方法。
【請求項２】
前記カーナビゲーション装置に表示された前記観光地情報のうちの複数が、前記カーナビゲーション装置の操作によって選択された時には、前記カーナビゲーション装置は、前記渋滞情報を参照して前記車両の位置から複数の前記選択された観光地を巡る最適な経路を決定して表示する、請求項１に記載の観光案内方法。
【請求項３】
前記料金精算手段は、前記観光地で要する費用と、前記自動料金徴収用端末から読み取った前記車両の使用者の料金支払い用のデータとを金融機関のコンピュータに送信して引き落とし手続を行わせる、請求項１または２に記載の観光案内方法。
【請求項４】
前記観光地で要する費用は、駐車料金と入場料の少なくとも一方を含む、請求項１〜３のいずれか１項に記載の観光案内方法。
【請求項５】
前記サーバーは、前記選択された観光地に設けられている撮像手段から画像データを取得して、前記ネットワークを介して前記カーナビゲーション装置に表示させるともに、前記選択された観光地に設けられている前記駐車誘導手段から空き駐車スペースの有無に関する情報を取得して、前記ネットワークを介して前記カーナビゲーション装置に表示させる、請求項１〜４のいずれか１項に記載の観光案内方法。
【請求項６】
前記サーバーは、前記観光地を選択してから前記車両が前記選択された観光地に到着するまでの間に、前記駐車誘導手段から空き駐車スペース無しという情報を取得したら、前記ネットワークを介して前記カーナビゲーション装置に警告表示を行わせる、請求項５に記載の観光案内方法。
【請求項７】
車両に搭載されているカーナビゲーション装置および自動料金徴収用端末と、前記カーナビゲーション装置が接続可能なネットワークと、前記ネットワークに接続可能なサーバーと、前記サーバーに接続可能な、観光地に設けられている撮像手段と料金精算手段と駐車誘導手段とを有し、
前記サーバーは、前記ネットワークを介して前記カーナビゲーション装置に、複数の観光地情報を表示させることができ、前記複数の観光地情報のうち前記カーナビゲーション装置の操作によって選択された観光地の画像データを前記撮像手段から取得して、前記カーナビゲーション装置に表示させることができ、
前記カーナビゲーション装置は、位置検知機構によって前記車両の位置を求め、その位置から前記選択された観光地までの経路を調べるとともに無線通信によってその経路中の渋滞情報を取得して表示可能であり、
前記駐車誘導手段は、前記車両が前記選択された観光地に到着すると、前記サーバーおよび前記ネットワークを介して、前記カーナビゲーション装置に空き駐車スペースを表示させることができ、
前記料金精算手段は、前記車両が前記選択された観光地に到着した後で、前記自動料金徴収用端末から前記車両の使用者の料金支払いのためのデータを読み取り、観光地で要する費用の請求のためのデータとして記憶可能である、観光案内システム。
【発明の詳細な説明】
【技術分野】
【０００１】
本発明は、カーナビゲーション装置と自動料金徴収用端末とを搭載している車両を対象とした観光案内方法および観光案内システムに関する。
【背景技術】
【０００２】
従来、様々な観光地を巡る旅行を行う際には、観光ガイドブックや地図等を参考にして、訪れる観光地を選択したり、その経路を決定するのが一般的である。しかし、観光ガイドブックや地図を購入して携帯し、必要に応じてたびたび頁を繰って情報を調べるのは重く面倒であり、また、観光ガイドブックや地図の発行時点での情報しか得ることはできず、旅行時点での情報を得ることはできない。そこで、特許文献１には、携帯端末と表示装置とを用いてその旅行時点での観光地の情報を手軽に取得できるシステムが提案されている。
【０００３】
特許文献２や特許文献３には、自動車に搭載されたカーナビゲーション装置に観光地情報を表示し、観光地を巡るドライブルートを提示するシステムが提案されている。
【特許文献１】特開２００１−３３６９４９号公報
【特許文献２】特開２００２−３７２４２９号公報
【特許文献３】特開２００３−５０１３８号公報
【特許文献４】特開２００１−３２５６３０号公報
【特許文献５】特開２００３−５１０３８号公報
【発明の開示】
【発明が解決しようとする課題】
【０００４】
前記した特許文献１の観光ガイドシステムは、宿泊施設等において近隣の観光地の情報や地図が取得できるのみであり、あまり広い範囲に分布している複数の観光地の情報を同時に取得することはできず、また、観光地を訪れるための移動中に、観光地情報を参照することはできない。これに対し、特許文献２や特許文献３のシステムによると、広い範囲に分布している複数の観光地の情報を取得して、車両の運転中に適宜これらの情報を参照することができる。これらのシステムは、予め記憶されている観光地情報がカーナビゲーション装置に表示されるものであり、定期的に（例えば１日に数回程度）更新された情報が提供され、必ずしもリアルタイムの情報が得られるわけではない。すなわち、その時点でのその観光地の天候や景観の状態が見られるわけではなく、また、その観光地の駐車場に空き駐車スペースが有るかどうかといった使用者にとって重要なリアルタイムの情報は得られない。
【０００５】
また、特許文献４や特許文献５には、高速道路の料金を自動的に徴収するための自動料金徴収用端末、いわゆるＥＴＣ（Electronic toll collection）装置を利用して、駐車場の駐車料金等を自動的に徴収するシステムが提案されている。これらのシステムは、主に高速道路の料金を支払うために使用者が予め用意しているＥＴＣカードによって、駐車料金等の決済を行うものである。この場合、駐車場等に設けられている料金精算手段とＥＴＣ装置とが無線通信を行った時点で即座に直接決済が行われるため、使用者が正しく認識していないうちに料金支払いが行われ、使用者が不審に感じることがあり得る。
【０００６】
そこで本発明の目的は、車両内で観光地の画像や駐車場情報などのリアルタイムの情報を取得することができ、その観光地で要する費用の精算が容易に行える観光案内方法および観光案内システムを提供することにある。
【課題を解決するための手段】
【０００７】
本発明の特徴は、カーナビゲーション装置と自動料金徴収用端末とを搭載している車両のための観光案内方法において、カーナビゲーション装置に複数の観光地情報を表示する工程と、表示された観光地情報のうちのいずれかがカーナビゲーション装置の操作によって選択された時に、ネットワークに接続されているサーバーが、選択された観光地に設けられている撮像手段から画像データを取得して、ネットワークを介してカーナビゲーション装置に表示させる工程と、カーナビゲーション装置が、位置検知機構により車両の位置を求め、その位置から前記選択された観光地までの経路を調べるとともに無線通信によってその経路中の渋滞情報を取得して表示する工程と、車両が選択された観光地に到着すると、その観光地に設けられている駐車誘導手段が、サーバーおよびネットワークを介して、カーナビゲーション装置に空き駐車スペースを表示させる工程と、観光地に設けられている料金精算手段が、自動料金徴収用端末から車両の使用者の料金支払い用のデータを読み取って、観光地で要する費用の請求のためのデータとして記憶する工程とを含むところにある。
【０００８】
カーナビゲーション装置に表示された観光地情報のうちの複数が、カーナビゲーション装置の操作によって選択された時には、カーナビゲーション装置は、渋滞情報を参照して車両の位置から複数の選択された観光地を巡る最適な経路を決定して表示する。
【０００９】
料金精算手段は、観光地で要する費用と、自動料金徴収用端末から読み取った車両の使用者の料金支払い用のデータとを金融機関のコンピュータに送信して引き落とし手続を行わせる。
【００１０】
観光地で要する費用は、駐車料金と入場料の少なくとも一方を含む。
【００１１】
サーバーは、選択された観光地に設けられている撮像手段から画像データを取得して、ネットワークを介してカーナビゲーション装置に表示させるともに、選択された観光地に設けられている駐車誘導手段から空き駐車スペースの有無に関する情報を取得して、ネットワークを介してカーナビゲーション装置に表示させる。
【００１２】
サーバーは、観光地を選択してから車両が選択された観光地に到着するまでの間に、駐車誘導手段から空き駐車スペース無しという情報を取得したら、ネットワークを介してカーナビゲーション装置に警告表示を行わせる。
【００１３】
また、本発明の観光案内システムは、車両に搭載されているカーナビゲーション装置および自動料金徴収用端末と、カーナビゲーション装置が接続可能なネットワークと、ネットワークに接続可能なサーバーと、サーバーに接続可能な、観光地に設けられている撮像手段と料金精算手段と駐車誘導手段とを有し、サーバーは、ネットワークを介してカーナビゲーション装置に、複数の観光地情報を表示させることができ、複数の観光地情報のうちカーナビゲーション装置の操作によって選択された観光地の画像データを撮像手段から取得して、カーナビゲーション装置に表示させることができ、カーナビゲーション装置は、位置検知機構によって車両の位置を求め、その位置から選択された観光地までの経路を調べるとともに無線通信によってその経路中の渋滞情報を取得して表示可能であり、駐車誘導手段は、車両が選択された観光地に到着すると、サーバーおよびネットワークを介して、カーナビゲーション装置に空き駐車スペースを表示させることができ、料金精算手段は、車両が選択された観光地に到着した後で、自動料金徴収用端末から車両の使用者の料金支払いのためのデータを読み取り、観光地で要する費用の請求のためのデータとして記憶可能である。
【発明の効果】
【００１４】
本発明によると、車両を利用する観光客のための観光案内として、カーナビゲーション装置によって各観光地のリアルタイムの画像を見ることができ、その時点での天候や景観の状態など、観光客に常に的確な情報を提供することができる。また、車両が各観光地に到着したら、引き続いて駐車場の空き駐車スペースへの誘導が行われ、駐車に手間取ることがなくなる。さらに、観光地における費用を自動的に精算でき、その場での現金支払いではなく、銀行口座からの引き落としにすることができるため、観光時の所持金を気にする必要がなくなる。しかも、料金自動徴収用端末を利用することによって、料金引き落としのための手続が極めて容易にできる。
【００１５】
さらに、駐車誘導手段から得られた空き駐車スペースの有無に関する情報がカーナビゲーション装置に表示される構成にすると、観光客が訪れようとする観光地を選択する上で有効な情報が得られる。
【発明を実施するための最良の形態】
【００１６】
以下、本発明の実施の形態について図面を参照して説明する。
【００１７】
図１に本発明の観光案内システムの全体構成を示している。この観光案内システムは、大まかに、自動車１に搭載されている機器群、すなわちカーナビゲーション装置２および自動料金徴収用端末（ＥＴＣ装置３）と、各観光地１０にそれぞれ設けられている機器群、すなわち撮像手段（デジタルカメラ４）、駐車誘導手段５、および料金精算手段６と、各観光地１０の機器群に接続されてこれらを制御する観光案内用のサーバー７と、少なくともカーナビゲーション装置２とサーバー７が接続される、インターネットなどのネットワーク８とからなる。さらに、それに加えて、料金精算手段６に接続されている、金融機関１１のコンピュータ９が存在する。なお、ここで言う観光地１０とは、名所旧跡や景勝地に加えて、遊園地等のレジャー施設や美術館や博物館等を含み、観光客の興味を引きそうなあらゆる場所の総称である。実際には数多くの観光地１０の機器群がネットワーク８を介してサーバー７に接続され、サーバー７により制御されているが、図１では、便宜上１つの観光地１０の機器群のみを図示している。
【００１８】
まず、これらの機器の基本的な機能について説明する。
【００１９】
カーナビゲーション装置２は、ネットワーク８への接続機能を有するとともに、既存の製品と同様に、位置検知機構、すなわちＧＰＳ（Global positioning system）機能を有し、自動車１の位置を検出して目的地までの経路を設定することができ、さらに、無線通信サービスを利用して道路渋滞情報を取得することができる。また、後述するように、ネットワーク８を介してサーバー７との間で観光案内のための様々なデータのやり取りを行い、サーバー７に指示されて観光案内に関する様々な情報を表示することができる。
【００２０】
ＥＴＣ装置３は、高速道路の料金を自動的に徴収することを主たる目的とするものであり、料金精算手段６等と無線通信可能であり、使用者が予め購入しているＥＴＣカードが装填されて、使用者の料金支払いのためのデータ、例えば利用している金融機関名および口座番号などが記憶されている。本実施形態では、ＥＴＣ装置３はカーナビゲーション装置２に一体的に内蔵されており、言い換えると、ＥＴＣ装置３の機能がカーナビゲーション装置２に備えられている。
【００２１】
デジタルカメラ４は、各観光地１０の代表的な景観を撮像できるようにセットされており、基本的に常時撮像し続けてその画像データをネットワーク８を介してサーバー７に送り続けている。
【００２２】
駐車誘導手段５は、各観光地１０の駐車場の空き駐車スペースを常に検知しており、カーナビゲーション装置２の表示部等に、その時点での空き駐車スペースの有無を表示させることができる。
【００２３】
料金精算手段６は、各観光地１０の入場料や駐車料金など、その観光地で要する費用を計算するとともに、無線通信によってＥＴＣ装置３から料金支払いのためのデータを読み取って記憶することができる。
【００２４】
観光案内用のサーバー７は、全ての観光地１０に設けられている機器群とネットワーク８を介して接続されてこれらを制御するとともに、カーナビゲーション装置２との間で、ネットワーク８を介して様々なデータの送受信を行い、カーナビゲーション装置２に観光案内に必要な様々なえる。また、多数の観光地１０のデータが格納されている観光地データベース７ａが接続されている。なお、サーバー７と、観光地１０に設けられている機器群とは、ネットワーク８経由でなく直接接続されていてもよい。
【００２５】
次に、これらの機器を用いて行われる本発明の観光案内方法について、図２に示すフローチャートに沿って説明する。
【００２６】
まず、自動車１の使用者（観光客）が観光地情報を知りたいと思ったときに、カーナビゲーション装置２を操作して、ネットワーク８を介して観光案内用のサーバー７にアクセスする。すると、サーバー７は、カーナビゲーション装置２の操作によって指定された、地域やジャンルなどの条件に基づいて、観光地データベース７ａを検索して、図３に示すような観光地一覧表を作成してカーナビゲーション装置２に表示させる（ステップＡ１）。図３に示す例では、観光地一覧表には、観光地１０の名称と、見所と、観光所要時間と、入場待ち時間と、駐車場状況が表示されている。入場待ち時間と駐車場状況は、サーバー７が各観光地の駐車誘導手段５にアクセスして常にリアルタイムの情報を入手して表示させる。
【００２７】
観光客は、観光地一覧表を参照しながらカーナビゲーション装置２のタッチパネル（図示せず）等を操作して、所望の観光地１０（例えば観光地Ａ）を選択する（ステップＡ２）。サーバー７は、選択された観光地Ａに設けられているデジタルカメラ４からネットワーク８を介して、その時点で撮像されている動画データ（図４に例示）を入手して、カーナビゲーション装置２に表示させる（ステップＡ３）。観光客はカーナビゲーション装置２の画面上でこのような観光地１０の画像（動画）を見る。
【００２８】
これらのステップＡ２〜Ａ３を適宜繰り返して、観光客は、様々な観光地１０の情報と動画を確認して、行きたいと思う観光地１０を選択し決定する。具体的には、カーナビゲーション装置２のタッチパネル（図示せず）等を操作して、行きたいと思う観光地１０（例えば観光地Ａ，Ｘ，Ｚ）にチェックマークを付けて確定させる（ステップＡ４）。カーナビゲーション装置２は、ＧＰＳ機能によって自動車１の位置を検知し、観光地データベース７ａに記録されている、選択確定された観光地Ａ，Ｘ，Ｚの位置データを、サーバー７およびネットワーク８を介して入手するとともに、従来より行われている無線通信サービスを利用して道路渋滞情報を取得し、これらの情報に基づいて、その時点での自動車１の位置から、選択された観光地Ａ，Ｘ，Ｚを巡るための経路の案を作成して表示する（ステップＡ５）。このとき、サーバー７が、現在時刻と、観光地データベース７ａに記録されている各観光地Ａ，Ｘ，Ｚの観光所用時間、入場待ち時間、および閉場時刻等とを勘案して時間的な不都合があるかどうかを判断し、カーナビゲーション装置２に、その判断結果を参照させた上で経路を設定させてもよい。そして、カーナビゲーション装置２は、例えば「最適ルートはＸ→Ａ→Ｚです。最初の観光地Ｘまでは○時間かかります。」というようなメッセージを表示する。
【００２９】
観光客は、カーナビゲーション装置２の設定した経路案を受け入れると、その誘導に従って自動車１を運転して、選択された観光地Ｘに向かう（ステップＡ６）。自動車１が観光地Ｘに到着すると、サーバー７は、観光地データベース７ａに記録されている各種情報を参照し、ネットワーク８を介して、自動車１を運転している観光客への情報および指示をカーナビゲーション装置２に画面または音声で表示させる（ステップＡ７）。具体的には、図５に示すように、観光地Ｘへの到着を通知し、リアルタイム情報として、入場待ち時間を再度表示したり、入場口まで案内したりする。
【００３０】
本実施形態では、観光客は自動車１に乗ったまま観光地Ｘの入場ゲートを通って入場する。入場時に、観光地Ｘに設けられている料金精算手段６が、自動車１に搭載されているＥＴＣ装置３に無線通信して、ＥＴＣ装置３に記憶されている使用者の料金支払いのためのデータ、例えば利用している金融機関名および口座番号などを読み取って記憶する（ステップＡ８）。
【００３１】
観光地Ｘに設けられている駐車誘導手段５は、前記した入場口への案内に引き続いて、自動車１を駐車場の空き駐車スペースに案内する（ステップＡ９）。具体的には、駐車誘導手段５が、図６に示すように駐車場の空き駐車スペースまでの経路を示す地図を、カーナビゲーション装置２に表示させる。これに従って、観光客は自動車１を駐車場の空き駐車スペースに駐車し、観光を行う（ステップＡ１０）。
【００３２】
このようにして観光地Ｘにおける観光が終了すると、観光客はステップＡ６〜Ａ１０を繰り返して、選択した他の観光地Ａ，Ｚにおいて同様な動作を行って観光を行う。このとき、観光地Ｘで要した費用（駐車料金）がα、観光地Ａで要した費用がβ、観光地Ｚで要した費用がγであるとすると、サーバー７は、各観光地Ｘ，Ａ，Ｚの料金精算手段６からのデータを集計し、金融機関１１のコンピュータ９にアクセスして、駐車料金の合計金額（α＋β＋γ）を、ＥＴＣ装置３が料金精算手段６から読み取った支払い用データの口座から引き落とすように依頼する処理を行う（ステップＡ１１）。金融機関１１のコンピュータ９は、サーバー７から伝えられた合計金額（α＋β＋γ）を観光客の口座から、指定された口座に振り込む処理を行う（ステップＡ１２）。
【００３３】
自動車１によって観光地１０に向かう途中で、その観光地１０の駐車場の空き駐車スペースがなくなった場合には、そのことを検知した駐車誘導手段５がサーバー７およびネットワーク８を介して、カーナビゲーション装置２に警告表示を行わせる。この警告表示によって観光客がその観光地１０を訪れるのを中止するかどうかは、観光客の判断に委ねられる。
【００３４】
料金精算手段６がＥＴＣ装置３から料金支払いのためのデータを読み取って記憶するステップＡ８は、前記した実施形態に限られず、自動車１が観光地１０に到着してから出発するまでの間の任意のタイミングで行われればよい。
【００３５】
なお、以上の説明では複数の観光地１０を巡る場合について述べたが、１個所の観光地１０を訪れる場合にも本発明は有効である。また、入場料も駐車料金も必要でない観光地１０に関しては、料金精算手段は不要であるが、それ以外の前記した観光案内の効果は同様に得られる。従って、このような観光地１０を、図３に示す観光案内一覧表から除外する必要はない。
【図面の簡単な説明】
【００３６】
【図１】本発明の観光案内システムを示す全体構成図である。
【図２】本発明の観光案内方法を示すフローチャートである。
【図３】本発明の観光案内システムのカーナビゲーション装置に表示される観光地一覧表の一例を示す図である。
【図４】本発明の観光案内システムのカーナビゲーション装置に表示される観光地の画像データの一例を示す図である。
【図５】本発明の観光案内システムのカーナビゲーション装置に表示される、観光地到着時のメッセージ画面の一例を示す図である。
【図６】本発明の観光案内システムのカーナビゲーション装置に表示される、観光地の駐車場の空き駐車スペースを示す地図の一例を示す図である。
【符号の説明】
【００３７】
１      自動車（車両）
２      カーナビゲーション装置
３      ＥＴＣ装置（自動料金徴収用端末）
４      デジタルカメラ（撮像手段）
５      駐車誘導手段
６      料金精算手段
７      観光案内用のサーバー
７ａ    観光地データベース
８      ネットワーク
９      金融機関のコンピュータ
１０，Ａ〜Ｚ    観光地
１１    金融機関
【図１】
2005037246.tif 000003
【図２】
2005037246.tif 000004
【図３】
2005037246.tif 000005
【図５】
2005037246.tif 000006
【図６】
2005037246.tif 000007
【図４】
2005037246.tif 000008